(57)【特許請求の範囲】
【請求項１】
座部と背もたれ部とを有すると共に、座部の先端に設けた脚載せ台により脚をマッサージするようにした椅子型のマッサージ機において、上記脚載せ台は、その略中央部分から上下に２分割されて、脚の上側をマッサージする上側ブロックと脚の下側をマッサージする下側ブロックとに分割されていると共に、両ブロックにはマッサージ具が内蔵されると共に脚のふくらはぎと足首とを別々に挟持できる溝形の脚保持部が設けられており、上側ブロックの後端部は座部の先端部に回転自在に連結され、上側ブロックの前端部は脚載せ台フレームを介して下側ブロックに回転自在に連結されており、上側ブロックと下側ブロックが座部の前方位置で略水平に並んだ状態から、上側ブロックと下側ブロックが座部の下方に収納された状態となり且つこの収納状態では下側ブロックのみが上向きとなって足の裏や足の側部をマッサージできるように構成されており、脚載せ台を出し入れする際に上側ブロックと下側ブロックとの間の隙間に両ブロック間を繋ぐように配置される変形可能な繋ぎ部材を備えていることを特徴とするマッサージ機。
【請求項２】
上記繋ぎ部材を上側ブロックと下側ブロックの背面に配置したことを特徴とする請求項１記載のマッサージ機。
【請求項３】
繋ぎ部材を布地によって構成し、各ブロックを覆う縫製品カバーと上記布地とを一体形成したことを特徴とする請求項１又は請求項２記載のマッサージ機。
【請求項４】
繋ぎ部材を構成する布地の内部に芯材を挿入したことを特徴とする請求項３記載のマッサージ機。
【発明の詳細な説明】
【０００１】
【発明の属する技術分野】
本発明は、人体の脚をマッサージする脚載せ台を備えた椅子型のマッサージ機に関するものである。
【０００２】
【従来の技術】
座部と背もたれ部とを有すると共に、座部の先端に設けた脚載せ台により脚をマッサージするようにした椅子型のマッサージ機において、脚載せ台は１つのブロックで構成されているのが一般的である。
【０００３】
【発明が解決しようとする課題】
ところで、本発明者らの研究によれば、脚のふくらはぎや足首等を効果的にマッサージするために、脚載せ台を上下方向に２分割すれば、ツボを快適に刺激でき、マッサージ感を向上させることができることがわかった。しかしながら脚載せ台を２ブロックに分割した場合、脚載せ台を出し入れする際に２つのブロック間に隙間が生じ、その隙間に人体の一部が挟み込まれる心配があった。特に子供が足を突っ込んだり、手や腕を挟んだりして危険である。
【０００４】
本発明は、上記の従来例の問題点に鑑みて発明したものであって、その目的とするところは、マッサージ感向上のために脚載せ台を２つのブロックに分割した場合でも、両ブロック間の隙間に人体の一部が挟み込まれる心配がなく、使用の安全性を十分に確保できるようにしたマッサージ機を提供することにある。
【０００５】
【課題を解決するための手段】
上記課題を解決するために本発明にあっては、座部２と背もたれ部３とを有すると共に、座部２の先端に設けた脚載せ台４により脚Ｃをマッサージするようにした椅子型のマッサージ機において、上記脚載せ台４は、その略中央部分から上下に２分割されて、脚Ｃの上側をマッサージする上側ブロック４Ａと脚Ｃの下側をマッサージする下側ブロック４Ｂとに分割されていると共に、両ブロック４Ａ，４Ｂにはマッサージ具が内蔵されると共に脚ＣのふくらはぎＣ１と足首Ｃ２とを別々に挟持できる溝形の脚保持部６，７が設けられており、上側ブロック４Ａの後端部は座部２の先端部に回転自在に連結され、上側ブロック４Ａの前端部は脚載せ台フレーム３０を介して下側ブロック４Ｂに回転自在に連結されており、上側ブロック４Ａと下側ブロック４Ｂが座部２の前方位置で略水平に並んだ状態から、上側ブロック４Ａと下側ブロック４Ｂが座部２の下方に収納された状態となり且つこの収納状態では下側ブロック４Ｂのみが上向きとなって足の裏や足の側部をマッサージできるように構成されており、脚載せ台４を出し入れする際に上側ブロック４Ａと下側ブロック４Ｂとの間の隙間に両ブロック４Ａ，４Ｂ間を繋ぐように配置される変形可能な繋ぎ部材５ａを備えていることを特徴としており、このように構成することで、上側ブロック４Ａに例えば脚ＣのふくらはぎＣ１部分を載せ、下側ブロック４Ｂに例えば足首Ｃ２部分を載せることによって、両ブロック４Ａ，４Ｂに設けたマッサージ具で脚ＣのふくらはぎＣ１や足首Ｃ２等を効果的にマッサージでき、マッサージ感を向上させることができると共に、繋ぎ部材５ａによって脚載せ台４の出し入れの際に両ブロック４Ａ，４Ｂ間の隙間Ｄに人体の一部が入り込むのを防止でき、安全性を確保できるようになる。
【０００６】
また上記繋ぎ部材５ａを上側ブロック４Ａと下側ブロック４Ｂの背面に配置するのが好ましく、この場合、マッサージ機１を正面から見たときに繋ぎ部材５ａが見えないようにできる。
【０００７】
また上記繋ぎ部材５ａを布地によって構成し、両ブロック４Ａ，４Ｂを覆う縫製品カバー１０と上記布地とを一体形成するのが好ましく、この場合、部品点数を削減してコストダウン及び組み立て性向上を図ることができる。
【０００８】
また上記繋ぎ部材５ａを構成する布地の内部に芯材１１を挿入するのが好ましく、この場合、繋ぎ部材５ａの強度が高まり、ブロック４Ａ，４Ｂ間の隙間Ｄに人体の一部が入り込むのをより確実に防止できるようになる。
【０００９】
【発明の実施の形態】
以下、本発明を添付図面に示す実施形態に基づいて説明する。
【００１０】
図１は、人体に対してエアーやローラー、振動、施療子等によって、もみ、たたき、伸ばし、さすり、圧迫動作等を行なう椅子型のマッサージ機１の一例を示している。このマッサージ機１は、座部２と背もたれ部３とを有すると共に、座部２の先端に設けられた脚載せ台４が座部２の前方に出し入れ可能とされている。座部２の左右両側にはアームレストが設けられている。背もたれ部３は、リクライニング装置により座部２の後端部を支点としてリクライニング可能に構成されている。背もたれ部３にはモータの回転動力によって上下移動する揉み玉等のマッサージ具（図示せず）が内蔵されている。
【００１１】
上記脚載せ台４は、その略中央部分から上下に２分割されて、上側ブロック４Ａと下側ブロック４Ｂとに分割されている。両ブロック４Ａ，４Ｂには、脚Ｃの上側と下側とを別々に挟持できる溝形の脚保持部６，７が設けられている。脚載せ台４を出した状態では、脚ＣのふくらはぎＣ１を上側ブロック４Ａによりマッサージし、足首Ｃ２を下側ブロック４Ｂによりマッサージする仕様となっている。そして、２つのブロックは、図４（ａ）、図５（ａ）に示すように座部２の前端部から垂下する収納状態と、図４（ｂ）、図５（ｂ）に示すように、座部２の前方に突出して脚Ｃを載置する状態とに出し入れ可能とされる。
【００１２】
ここで、上側ブロック４Ａの後端部は座部２の先端部に回転自在に連結され、上側ブロック４Ａの前端部は脚載せ台フレーム３０を介して下側ブロック４Ｂに回転自在に連結されている。脚載せ台フレーム３０には背もたれ部３のリクライニング機構と連動する連動機構３１（図１）に連結されており、背もたれ部３を倒したときには脚載せ台４を構成する両ブロック４Ａ，４Ｂが座部２の前方位置で略水平に並んだ状態（図２（ｃ）の状態）となり、また、背もたれ部３を起こしたときには両ブロック４Ａ，４Ｂが座部２の下方に収納された状態（図２（ｂ）の状態）となる。本例では収納状態では図２（ｂ）に示すように、下側ブロック４Ｂのみが上向きとなり、この下側ブロック４Ｂの上に足を載せることで、下側ブロック４Ｂに内蔵したマッサージ具（図示せず）で足の裏や足の側部等を効果的にマッサージできるようにしている。なおマッサージ具としては、機械的な振動を脚Ｃに与えるバイブレーション装置がある。このバイブレーション装置は、一般にモーターの出力軸に固定されている偏心分銅の高速回転によって振動が発生するように構成される。もちろんバイブレーション装置に限らず、空気圧等によってマッサージするものでもよい。
【００１３】
さらに、上側ブロック４Ａと下側ブロック４Ｂとの間には、図２に示すように、脚載せ台４を出し入れする際に人体の一部が挟み込まれるのを防止するための挟み防止手段５が設けられている。本例の挟み防止手段５は、上側ブロック４Ａと下側ブロック４Ｂとを繋ぐように配置される変形可能な繋ぎ部材５ａからなる。繋ぎ部材５ａの材質は非伸縮性の布地等が使用される。もちろん、布地に限られるものではなく、両ブロック４Ａ，４Ｂの動きに支障をきたすことなく両ブロック４Ａ，４Ｂ間を繋いで人体の一部が例えば図２（ｂ）の矢印方向イから隙間Ｄに入り込むのを防止できるものであればよい。ここでは、図２（ｂ）に示す脚載せ台４の収納状態で、繋ぎ部材５ａは上下に伸びた状態となり、また図２（ｃ）に示す脚載せ台４を出した状態においては折り畳まれた状態となり、いずれの状態でも両ブロック４Ａ，４Ｂ間の隙間Ｄに配置されるようになっている。
【００１４】
しかして、上側ブロック４Ａの脚保持部６に足のふくらはぎＣ１を載せ、下側ブロック４Ｂの脚保持部７に足首Ｃ２を載せることによって、両ブロック４Ａ，４Ｂに内蔵したマッサージ具で脚ＣのふくらはぎＣ１や足首Ｃ２等を効果的にマッサージすることができる。しかも、挟み防止手段５を構成する繋ぎ部材５ａが脚載せ台４の出し入れの際に両ブロック４Ａ，４Ｂ間に人体の一部が入り込むのを阻止する壁となるので、安全性が高まる。しかも本例では、繋ぎ部材５ａとして非伸縮性の布地を使用しているため、特に子供が隙間Ｄに足、手、腕等を突っ込もうとしても、繋ぎ部材５ａによってその挟み込みを確実に防止でき、安全性を十分に確保できる。さらに脚載せ台４を収納状態から出した状態へ移行する際に、足首Ｃ２が下側ブロック４Ｂに載るので、かかと等が下側ブロック４Ｂと床との隙間Ｄに入り込むことも防止でき、一層安全である。
【００１５】
図６は、挟み防止手段５を構成する繋ぎ部材５ａを、上側ブロック４Ａと下側ブロック４Ｂの背面に配置した場合の一例を示している。他の構成は図２の実施形態と同様である。本例では、両ブロック４Ａ，４Ｂ間の隙間Ｄ（人体の一部を挟み込む可能性のある箇所）をその背面から覆うようにして繋ぎ部材５ａが取着されているので、マッサージ機１を正面から見たときに繋ぎ部材５ａが見えないようにでき、外観の品位を向上させることができる。
【００１６】
図７は繋ぎ部材５ａを布地によって構成し、両ブロック４Ａ，４Ｂを覆う縫製品カバー１０と上記布地とを一体形成した場合の一例を示している。他の構成は図２の実施形態と同様である。本例では、繋ぎ部材５ａを構成する布地がブロックの縫製品カバー１０と一体化されている。つまり、ブロック４Ａ，４Ｂ間を繋ぐための布地をブロックの縫製品カバー１０と同一のものとしてあり、このように繋ぎ部材５ａと縫製品カバー１０とを一体とすることで、部品点数を削減してコストダウンを図ることができ、さらに組み立て性を向上させることができる。
【００１７】
図８は図７の構成に加えて、繋ぎ部材５ａを構成する布地の内部に芯材１１を挿入した場合の一例を示している。本例では、芯材１１によって繋ぎ部材５ａを構成する布地の強度が高まり、これによりブロック４Ａ，４Ｂ間の隙間Ｄに人体の一部が入り込むのをより確実に防止できる。また、芯材１１として弾性変形可能な材質が望ましい。この場合、芯材１１が両ブロック４Ａ，４Ｂの動作に支障をきたすことがなく、両ブロック４Ａ，４Ｂの動作をよりスムーズにできるという利点もある。なお芯材１１は図２或いは図６に示す布地の内部に挿入してもよい。
【００１８】
【発明の効果】
上述のように請求項１記載の発明にあっては、座部と背もたれ部とを有すると共に、座部の先端に設けた脚載せ台により脚をマッサージするようにした椅子型のマッサージ機において、上記脚載せ台は、その略中央部分から上下に２分割されて、脚の上側をマッサージする上側ブロックと脚の下側をマッサージする下側ブロックとに分割されていると共に、両ブロックにはマッサージ具が内蔵されると共に脚のふくらはぎと足首とを別々に挟持できる溝形の脚保持部が設けられており、上側ブロックの後端部は座部の先端部に回転自在に連結され、上側ブロックの前端部は脚載せ台フレームを介して下側ブロックに回転自在に連結されており、上側ブロックと下側ブロックが座部の前方位置で略水平に並んだ状態から、上側ブロックと下側ブロックが座部の下方に収納された状態となり且つこの収納状態では下側ブロックのみが上向きとなって足の裏や足の側部をマッサージできるように構成されており、脚載せ台を出し入れする際に上側ブロックと下側ブロックとの間の隙間に両ブロック間を繋ぐように配置される変形可能な繋ぎ部材を備えているので、上側ブロックに例えば足のふくらはぎ部分を載せ、下側ブロック例えば足首部分を載せることによって、両ブロックに内蔵したマッサージ具で脚のふくらはぎや足首等を効果的にマッサージでき、ツボを快適に刺激してマッサージ感を向上させることができるものであり、さらに繋ぎ部材によって脚載せ台の出し入れの際に両ブロック間の隙間に人体の一部が入り込むのを防止できるので、安全性を確保できるものである。
【００１９】
また請求項２記載の発明は、請求項１記載の効果に加えて、上記繋ぎ部材を上側ブロックと下側ブロックの背面に配置したので、マッサージ機を正面から見たときに繋ぎ部材が見えないようにでき、外観の品位を向上させることができる。
【００２０】
また請求項３記載の発明は、請求項１又は請求項２記載の効果に加えて、繋ぎ部材を布地によって構成し、両ブロックを覆う縫製品カバーと上記布地とを一体形成したので、部品点数を削減してコストダウンを図ることができ、さらに組み立て性を向上させることができる。
【００２１】
また請求項４記載の発明は、請求項３記載の効果に加えて、繋ぎ部材を構成する布地の内部に芯材を挿入したので、繋ぎ部材の強度が高まり、ブロック間の隙間に人体の一部が入り込むのをより確実に防止できる。
【図面の簡単な説明】
【図１】  本発明の実施形態の一例の説明図である。
【図２】  （ａ）は同上の脚載せ台を収納した状態の正面図、（ｂ）は（ａ）のＡ−Ａ’線断面図、（ｃ）は脚載せ台を出した状態の断面図である。
【図３】  同上のマッサージ機の斜視図である。
【図４】  （ａ）は同上の脚載せ台を収納した状態の斜視図、（ｂ）は出した状態の斜視図である。
【図５】  （ａ）（ｂ）は同上の脚載せ台に脚を載せた場合の斜視図である。
【図６】  （ａ）（ｂ）は他の実施形態を示す断面図である。
【図７】  更に他の実施形態を示す断面図である。
【図８】  （ａ）（ｂ）は更に他の実施形態を示す断面図である。
【符号の説明】
１  マッサージ機
２  座部
３  背もたれ部
４  脚載せ台
４Ａ  上側ブロック
４Ｂ  下側ブロック
５ａ  繋ぎ部材
１０  縫製品カバー
１１  芯材
Ｃ  脚
【図１】
0004013042.tif 000002
【図２】
0004013042.tif 000003
【図３】
0004013042.tif 000004
【図４】
0004013042.tif 000005
【図５】
0004013042.tif 000006
【図６】
0004013042.tif 000007
【図７】
0004013042.tif 000008
【図８】
0004013042.tif 000009